(57)【特許請求の範囲】
【請求項１】
少なくとも電源線と、グランド線と、複数の通信用電線と、を備える複数の電線と、
前記複数の電線の各電線に接続される複数の端子と、
前記複数の端子を横並びに並べた第１端子列および第２端子列を縦方向に２段に配列して保持するハウジングと、
前記ハウジングを覆うシールドシェルと、を備えるシールドコネクタであって、
前記複数の端子のそれぞれは、相手側端子と接続される端子接続部と、前記複数の電線の各電線と半田付けされる電線接続部と、を備え、
前記ハウジングは、前記端子接続部を収容するハウジング本体と、前記ハウジング本体から相手側ハウジングとの嵌合方向の後方側へ延出されて前記第１端子列の前記電線接続部および前記第２端子列の前記電線接続部の間に配される板状のハウジング延出部と、を備え、
前記ハウジング延出部は、前記電線接続部を載置する端子載置部と、当該端子載置部から前記後方側に延設されて前記電線を載置する電線載置部と、を備えており、
前記端子載置部には、隣り合う前記端子の前記電線接続部の間に配される複数の溝壁が設けられており、
前記電線載置部には、前記複数の溝壁のうち少なくとも一つから連なって前記電線載置部の後端縁まで延びる起立壁が設けられ、当該起立壁によって、前記電源線および前記グランド線と、前記複数の通信用電線と、の間が仕切られており、
前記シールドシェルは、前記ハウジング延出部の一面側および他面側をそれぞれ露出させる第１開放部および第２開放部と、前記第１開放部を覆う第１カバーと、前記第２開放部を覆う第２カバーと、を有するシールドコネクタ。
【請求項２】
前記第１カバーおよび前記第２カバーは、同形同大とされている請求項１に記載のシールドコネクタ。
【請求項３】
前記複数の電線は、シールド層と、前記シールド層の外周を覆う絶縁被覆とにより一括に包囲されており、
前記シールド層の端部は前記絶縁被覆の端部において露出されており、
前記シールドシェルには、前記シールド層の端部を加締める一対のバレル片と、前記シールド層の端部に沿うように伸びて前記シールド層の端部とともに前記一対のバレル片により加締められる押さえ片と、が設けられている請求項１または請求項２に記載のシールドコネクタ。
【発明の詳細な説明】
【技術分野】
【０００１】
本明細書に開示される技術は、シールドコネクタに関する。
【背景技術】
【０００２】
従来、例えば電気自動車やハイブリット自動車等の車両に搭載され、車両内における車載電装品（ナビ、ＥＴＣ、モニタ等）と外部機器（カメラ等）との間や、車載電装品間の有線の通信経路に配される通信用のシールドコネクタが知られている。このようなシールドコネクタは、複数のキャビティを備えたハウジングを有しており、キャビティ内に、相手側端子と信号用の電線とを接続するための接続端子が収容されている。ハウジング、および、接続端子と電線との接続部は、シールドユニットにより一括にシールドされるようになっている。
【先行技術文献】
【特許文献】
【０００３】
【特許文献１】特開２０１３−１２５５８５号公報
【発明の概要】
【発明が解決しようとする課題】
【０００４】
ところで、このようなシールドコネクタは、複数（例えば１０本）の接続端子が複数の列をなして配列されており、ハウジングに収容された個々の接続端子と電線とを接続する作業は、煩雑になり易い。接続端子と電線との接続作業を比較的簡単にするためには、従来の加締めによる接続方法に替えて、半田付けの手法を採用することが好ましいが、接続端子が複数の列をなして配列されている場合には、各列間において導電経路が短絡する虞がある。このような短絡を防止するために、ハウジングを各列毎に分割し、接続端子と電線との半田接続の後、複数のハウジングを重ね合わせることが考えられるが、構造が複雑化し、大型化する懸念がある。また、半田接続が完了するまで、ハウジングを積み重ねたり、ハウジングをシールドシェル内に収容することができず、作業順序に制約が生じるという問題もある。
【０００５】
本明細書に開示される技術は上記のような事情に基づいて完成されたものであって、簡易な構成で組み立て作業性に優れるシールドコネクタを提供することを目的とする。
【課題を解決するための手段】
【０００６】
本明細書に開示されるシールドコネクタは、少なくとも電源線と、グランド線と、複数の通信用電線と、を備える複数の電線と、前記複数の電線の各電線に接続される複数の端子と、前記複数の端子を横並びに並べた第１端子列および第２端子列を縦方向に２段に配列して保持するハウジングと、前記ハウジングを覆うシールドシェルと、を備えるシールドコネクタであって、前記複数の端子のそれぞれは、相手側端子と接続される端子接続部と、前記複数の電線の各電線と半田付けされる電線接続部と、を備え、前記ハウジングは、前記端子接続部を収容するハウジング本体と、前記ハウジング本体から相手側ハウジングとの嵌合方向の後方側へ延出されて前記第１端子列の前記電線接続部および前記第２端子列の前記電線接続部の間に配される板状のハウジング延出部と、を備え、前記ハウジング延出部は、前記電線接続部を載置する端子載置部と、当該端子載置部から前記後方側に延設されて前記電線を載置する電線載置部と、を備えており、前記端子載置部には、隣り合う前記端子の前記電線接続部の間に配される複数の溝壁が設けられており、前記電線載置部には、前記複数の溝壁のうち少なくとも一つから連なって前記電線載置部の後端縁まで延びる起立壁が設けられ、当該起立壁によって、前記電源線および前記グランド線と、前記複数の通信用電線と、の間が仕切られており、前記シールドシェルは、前記ハウジング延出部の一面側および他面側をそれぞれ露出させる第１開放部および第２開放部と、前記第１開放部を覆う第１カバーと、前記第２開放部を覆う第２カバーと、を有することを特徴とする。
【０００７】
上記構成によれば、第１カバーおよび第２カバーを取り外すことでシールドシェルの第１開放部および第２開放部から露出されるハウジング延出部において、端子と電線との半田付け作業を簡単に行うことができる。従って、端子と電線とを接続する前に、予め端子をハウジングに収容したり、ハウジングをシールドシェルに収容しておくことができ、簡易な構成でありながら、作業順序の自由度が高まる。しかも、ハウジング延出部により、第１端子列および第２端子列は完全に仕切られているから、第１端子列の電線接続部と第２端子列の電線接続部とが半田付けにより短絡することがない。
【０００８】
本明細書に開示される技術は、以下の構成を有してもよい。
【０００９】
第１カバーおよび第２カバーは、同形同大とされていてもよい。このような構成とすると、第１カバーおよび第２カバーを別形態とする構成と比較して、製造コストを抑えることができる。
【００１０】
ところで、複数の電線をシールドする場合、複数の電線をシールド層と、シールド層の外周を覆う絶縁被覆とにより一括に包囲し、シールド層の端部を絶縁被覆の端部において露出させて、このシールド層の端部をシールドシェルに設けた一対のバレル片により加締めて導通接続させる構成が従来から知られている。しかし、シールドシェルに上述したような第１開放部および第２開放部を設ける場合、第１開放部および第２開放部の近くに設けられる一対のバレル片のシールドシェルに対する連結部分の強度が低下する場合がある。
【００１１】
そこで、シールドシェルに、シールド層の端部を加締める一対のバレル片に加え、シールド層の端部に沿うように伸びてシールド層の端部とともに一対のバレル片により加締められる押さえ片を設ける構成としてもよい。
【００１２】
このような構成とすると、一括に包囲された複数の電線は、バレル片のみならず、電線とともに加締められた押さえ片によってもシールドシェルと連結されることとなる。従って、バレル片および押さえ片により、シールドシェルとシールド層の端部との接続、および、一括に包囲された電線のシールドシェルに対する保持を確実に行うことが可能となる。
【発明の効果】
【００１３】
本明細書に開示された技術によれば、簡易な構成で組み立て作業性に優れるシールドコネクタが得られる。
【図面の簡単な説明】
【００１４】
【図１】一実施形態のシールド電線の端末部に接続されたシールドコネクタを示す斜視図
【図２】シールド電線の端末部に接続されたシールドコネクタを示す側面図
【図３】シールド電線の斜視図
【図４】シールド電線の平面図
【図５】シールド電線の側面図
【図６】コネクタハウジングの斜視図
【図７】コネクタハウジングの平面図
【図８】コネクタハウジングの正面図
【図９】コネクタハウジングの背面図
【図１０】端子を収容したコネクタハウジングの斜視図
【図１１】シールドシェルの分解斜視図
【図１２】シェル本体の平面図
【図１３】シェル本体の側面図
【図１４】シェル本体の正面図
【図１５】シェル本体の背面図
【図１６】第１カバーの底面図
【図１７】第１カバーの正面図
【図１８】ハウジングにシェル本体を装着した状態を示す斜視図
【図１９】ハウジングにシェル本体を装着した状態を示す平面図
【図２０】ハウジングにシェル本体を装着した状態を示す側面図
【図２１】ハウジングにシェル本体を装着した状態を示す正面図
【図２２】ハウジングにシェル本体を装着した状態を示す背面図
【図２３】図２０のＡ−Ａ断面図
【図２４】電線接続部に電線を配した状態を示す斜視図
【図２５】加締め部を加締めた状態を示す斜視図
【図２６】加締め部を加締めた状態を示す平面図
【図２７】加締め部を加締めた状態を示す側面図
【発明を実施するための形態】
【００１５】
一実施形態について、図１〜図２７を参照して説明する。シールドコネクタ１０は、例えば電気自動車やハイブリット自動車等の車両に搭載され、例えば車両内における車載電装品（ナビ、ＥＴＣ、モニタ等）と外部機器（カメラ等）との間や、車載電装品間の有線の通信経路に配される。以下では、上下方向については図１の上方を上、下方を下とし、左右方向については図１の左下を左、右上を右とし、前後方向については、図２の左方を前方、右方を後方として説明する。
【００１６】
本実施形態のシールドコネクタ１０は、複数（本実施形態では１０本）の電線１２，１３，１４，１５を有するシールド電線１１と、各電線１２〜１５の端末部に接続された複数（本実施形態では１０個）の端子２０と、複数の端子２０を収容するハウジング３０と、ハウジング３０及び複数の電線１２〜１５を覆うシールドシェル４０と、を備えている（図１および図２参照）。
【００１７】
（シールド電線１１）
シールド電線１１は、１ＧＨｚ以上の高速通信が可能な電線であって、図３ないし図５に示すように、１０本の電線１２〜１５と、１０本の電線１２〜１５を一括して包囲し、金属細線を編み込んで構成された編組線からなるシールド層１６と、シールド層１６の外周を覆い、絶縁性の合成樹脂からなる絶縁被覆１７とを備えている。
【００１８】
（電線１２〜１５）
１０本の電線１２〜１５のうち、電線１２は、第１通信用電線として２組の高速線対（シールドとドレイン線付の差動ペア・ケーブル）であり、本実施形態ではＵＳＢ(Universal Serial Bus)３．０規格の電線である。電線１３は、第１通信用電線よりもデータの最大転送速度が低い第２通信用として１組の対（シールドなしのツイスト・ペア・ケーブル）であり、本実施形態ではＵＳＢ２．０規格の電線である。電線１４は、電源に接続される１本の電源線であり、電線１５は、グランドに接続される１本のグランド線である。
【００１９】
各電線１２〜１５は、金属線からなる導体部を、絶縁性の合成樹脂からなる絶縁層で被覆したものである。シールド電線１１のシールド層１６及び絶縁被覆１７の端末よりも前方に延びる１０本の電線１２〜１５の端末部は、絶縁層が剥ぎ取られ、端子２０と接続される導体部が露出している。電線１２〜１５は、先端側に向けて５本ずつ上下に分けられ、上下に２段、５本ずつ横一列に並んで上下の電線列１８Ａ，１８Ｂを構成している。
【００２０】
（端子２０）
端子２０は、前方側が角筒状の端子接続部２１とされ、端子接続部２１の後方側に電線１２〜１５の導体部に接続される電線接続部２３が一体に形成されている（図１０参照）。端子接続部２１には、相手側のオス端子に接続される弾性接触片２５（図２１参照）が設けられている。電線接続部２３は、後方に向けて延びる細長い板状をなしており、幅方向における中央部が低くなるようにわずかに湾曲している（図２２参照）。電線接続部２３の上面側に電線１２〜１５の導体部が載置され、半田付けされることにより、端子２０と電線１２〜１５とが電気的に接続される。
【００２１】
（ハウジング３０）
ハウジング３０は、絶縁性の合成樹脂製であって、図６ないし図１０に示すように、各端子２０の端子接続部２１が収容されるハウジング本体３１と、ハウジング本体３１の後方に延びるハウジング延出部３５とを備える。
【００２２】
ハウジング本体３１は直方体状であって、端子２０が収容されるキャビティ３２が上下２段、左右に５個、間隔を空けて並んで配置されている。ハウジング本体３１の前端には、外側に向けて張り出すフランジ部３３が形成されている。また、ハウジング本体３１の左右の外側面には、前端縁から後方側に向けて溝状に切り欠かれて後述するシールドシェル４０の係止片４３を係止する係止部３４が設けられている。
【００２３】
各キャビティ３２は、端子接続部２１の外周形状に応じた矩形状の断面を有し、端子接続部２１の長さに応じて前後方向に延びている。キャビティ３２の前端部には、端子２０の前方への移動を規制する前止まり壁３９（図８および図９参照）が形成されている。また、キャビティ３２の内壁には、端子接続部２１に係止して端子２０の後方側への抜けを規制する撓み変形可能な抜け規制片（図示せず）が前方側に片持ち状に延びている。
【００２４】
ハウジング延出部３５は、図６に示すように、ハウジング本体３１の後端における上下方向の中央部（上段および下段のキャビティ３２の列の間）から、ハウジング本体３１の左右の幅寸法よりやや小さい幅寸法の板状をなして後方に向けて延びており、各端子２０の電線接続部２３を載置するべく左右方向に並んだ複数の溝状の端子載置部３６と、端子載置部３６の後方側に延設された電線載置部３７と、を備えている。ハウジング延出部３５の板厚は、上段および下段の各キャビティ３２の列の間の底壁の板厚より薄く設定されており、キャビティ３２の底面から後方側に向けて傾斜する傾斜部３５Ａを介してハウジング本体３１と一体に連なっている。
【００２５】
端子載置部３６は、底部３６Ａと、底部３６Ａの両側縁から起立する溝壁３６Ｂを有し、ハウジング延出部３５の上面と下面のそれぞれに端子２０の数に応じて（本実施形態では５つずつ）左右方向に並んで形成されている。複数の溝壁３６Ｂのうち左右方向の両端に位置する溝壁３６Ｂは、ハウジング本体３１の左右の両側壁と一体に連なるとともに厚さが他の溝壁３６Ｂよりも厚く形成されており、ハウジング延出部３５の補強壁としても機能している。また、各溝壁３６Ｂの側面には、溝壁３６Ｂの伸び方向に沿って溝状に延びる凹部３６Ｃが形成されている。
【００２６】
電線載置部３７は、端子載置部３６の底部３６Ａと面一の平面状をなしている。電線載置部３７の上面および下面には、上述した複数の溝壁３６Ｂのうちの一つから連続して延びる起立壁３８がそれぞれ設けられている。これら起立壁３８は、５つの隣り合う端子載置部３６間に配された４つの溝壁３６Ｂのうち、上面側における右側から２本目の溝壁３６Ｂと、下面側における左側から２本目の溝壁３６Ｂに連続して設けられており、電線載置部３７の後端まで延びている。すなわち、これらの起立壁３８は、電線載置部３７の上面および下面において、異なる位置に配されている（図９参照）。またこれらの起立壁３８の側面にも、起立壁３８の伸び方向に沿って、溝壁３６Ｂの凹部３６Ｃと連続する溝状の凹部３８Ｃが形成されている。
【００２７】
（シールドシェル４０）
シールドシェル４０は、アルミニウム、アルミニウム合金、銅、銅合金等の金属板材に打ち抜き加工及び曲げ加工を施して形成されており、図１１に示すように、シェル本体４１と、第１カバー６０Ａと、第２カバー６０Ｂとから構成されている。
【００２８】
（シェル本体４１）
シェル本体４１は、ハウジング本体３１を包囲するハウジング包囲部４２と、ハウジング包囲部４２の左右の側壁から後方に向けて延びる一対のシールド延出部４４と、シールド延出部４４の後端からさらに後方に向けて延びる加締め部５５と、を備えている。
【００２９】
ハウジング包囲部４２は、ハウジング本体３１の上面、左右の一対の側面、底面を覆う大きさの角筒状に形成されている。ハウジング包囲部４２は、シェル本体４１（ハウジング包囲部４２）がハウジング３０（ハウジング本体３１）に取り付けられた状態において、その前方側の端縁がハウジング本体３１のフランジ部３３の背面に突き当たり、かつ、後方側の端縁がハウジング本体３１の背面と面一となる長さ寸法（前後方向の寸法）に設定されている。ハウジング包囲部４２の左右一対の側壁には、ハウジング本体３１の係止部３４に係止するための係止片４３が、内側に向けて切り起こし形成されている。ハウジング包囲部４２の前方側からハウジング３０を挿入して嵌め入れると、係止片４３は、ハウジング本体３１の一対の側面に前方側を段差状に切り欠いて形成した係止部３４に係止する（図２３参照）。
【００３０】
シールド延出部４４は、ハウジング包囲部４２の左右一対の側壁から、シェル本体４１がハウジング３０に取り付けられた状態において、ハウジング延出部３５の側縁に沿うように、後方に向けて延びている。
【００３１】
シールド延出部４４のうち基部側（ハウジング包囲部４２側）の、端子載置部３６の側縁に沿う領域は、第１延出部４５とされている。この第１延出部４５の上下方向の寸法は、ハウジング包囲部４２の側壁の上下方向の寸法よりやや短い寸法に設定されている（図１３参照）。
【００３２】
また、第１延出部４５の後方側の、電線載置部３７の側縁に沿う領域は、第２延出部４６とされている。左右の一対の第２延出部４６のうち左側（図１１の左手前側）の左側第２延出部４６Ｌは、第１延出部４５のうちその高さ方向における下側約半分の領域から延出されている。一方、右側の右側第２延出部４６Ｒは、第１延出部４５のうちその高さ方向における上側約半分の領域から延出されている。すなわち、左右の一対の第２延出部４６Ｌ，４７Ｒは、異なる高さ位置に設けられている。
【００３３】
左側第２延出部４６Ｌの上端縁には、右側第２延出部４６Ｒに向けて延びる左側仕切り壁４７Ｌが延出形成されている。左側仕切り壁４７Ｌは、ハウジング包囲部４２の幅方向（左右方向）におけるほぼ中央部まで延びている。左側仕切り壁４７Ｌの延出方向における先端縁のうち、後方側約２／３の領域には、左側起立壁４８Ｌが上方に向けて立ち上がるように設けられている。この左側起立壁４８Ｌの前端縁には、右斜め前方に向けて延びる左側傾斜壁４９Ｌが設けられている。左側傾斜壁４９Ｌの先端は、シェル本体４１がハウジング３０に装着された状態において、ハウジング延出部３５の上面側の起立壁３８付近まで延びるように設定されている（図１９および図２２参照）。
【００３４】
一方、右側第２延出部４６Ｒの下端縁には、左側第２延出部４６Ｌに向けて延びる右側仕切り壁４７Ｒが延出形成されている。右側仕切り壁４７Ｒは、ハウジング包囲部４２の幅方向（左右方向）におけるほぼ中央部まで延びている。右側仕切り壁４７Ｒの延出方向における先端縁のうち、後方側約２／３の領域には、右側起立壁４８Ｒが下方に向けて立ち上がるように設けられている（図１４および図１５参照）。この右側起立壁４８Ｒの前端縁には、左斜め前方に向けて延びる右側傾斜壁４９Ｒが設けられている。右側傾斜壁４９Ｒの先端は、シェル本体４１がハウジング３０に装着された状態において、ハウジング延出部３５の下面側の起立壁３８付近まで延びるように設定されている（図２２参照）。
【００３５】
なお、左側仕切り壁４７Ｌの下面を含む面と、右側仕切り壁４７Ｒの上面を含む面との間の最短距離は、ハウジング延出部３５の厚み寸法と同等あるいは同等より僅かに大きい寸法となるように設定されている（図２２参照）。
【００３６】
また、一対の第１延出部４５には、矩形状の係止孔５１，５２が、上下方向の僅かにずれた位置にそれぞれ２つずつ設けられている。また、一対の第２延出部４６Ｌ，４６Ｒにも、矩形状の係止孔５３が１つずつ設けられている。
【００３７】
一対のシールド延出部４４の後方には、加締め部５５が延出形成されている。本実施形態において加締め部５５は、一対のバレル片５６と、押さえ片５７と、を備えている。これら一対のバレル片５６および押さえ片５７は、シールド電線１１を一対のバレル片５６により加締めた際に、シールド電線１１の軸心がシェル本体４１（ハウジング包囲部４２）の軸心と重なる位置に配されるように、その上下方向および左右方向の位置が設定されている。
【００３８】
より詳細に説明すると、一対のバレル片５６は、右側第２延出部４６Ｒの後端縁に連なるバレル片側連結部５６Ａを介して、右側のシールド延出部４４と一体に設けられている。バレル片側連結部５６Ａは、基端側から後方側に向けて幅寸法が広がる略台形状とされている（図１３参照）。バレル片側連結部５６Ａは、その基端部の幅寸法が右側第２延出部４６Ｒの後端縁の寸法と同等程度に設定されるとともに、右側第２延出部４６Ｒとは高さ方向において段差状をなして下方側に配されており、これにより、一対のバレル片５６はシェル本体４１の高さ方向における中央線に対して対称となるように配されている。
【００３９】
また一対のバレル片５６は、バレル片側連結部５６Ａが右側第２延出部４６Ｒの後端縁から左斜め後方に向けて延びることにより、その左右方向の位置が上述した所定の位置（シールド電線１１の軸心とシェル本体４１の軸心とが重なるようにシールド電線１１を加締める位置）となるように設定されている。
【００４０】
なお一対のバレル片５６は、加締め前の状態においては、図１１および図１５に示すように、左側に向けて略Ｖ字形状に開放されている。
【００４１】
一方押さえ片５７は、左側第２延出部４６Ｌの後端縁に連なる押さえ片側連結部５７Ａを介して、左側のシールド延出部４４と一体に設けられている。押さえ片側連結部５７Ａおよび押さえ片５７は、それらの幅寸法（高さ方向における寸法）が左側第２延出部４６Ｌの後端縁の寸法と同等程度に設定されるとともに、左側第２延出部４６Ｌとは高さ方向において段差状をなして上方側に配されており、これにより、押さえ片側連結部５７Ａおよび押さえ片５７はシェル本体４１の高さ方向における中央部に配されている（図１３参照）。すなわち、押さえ片５７は一対のバレル片５６と対向する位置に配されている。
【００４２】
押さえ片５７は、シールド電線１１をバレル片５６により加締める際に、シールド電線１１の延び方向に沿って延びてシールド電線１１の端部に露出されたシールド層１６とともにバレル片５６により加締められるように、その幅方向において湾曲した形態をなしている（図１５参照）。
【００４３】
また押さえ片５７は、押さえ片側連結部５７Ａが左側第２延出部４６Ｌの後端縁から右斜め後方に向けて延びることにより、その左右方向の位置が上述した所定の位置（シェル本体４１の軸心と重なるように軸心が配されたシールド電線１１に沿う位置）となるように設定されている。
【００４４】
一対のバレル片５６の間にシールド電線１１を配し、シールド電線１１を押さえ片５７とともにバレル片５６により加締めることで、シールド電線１１をシェル本体４１に対して安定的に保持することができる。
【００４５】
なお、これら一対のバレル片５６および押さえ片５７は、シールド電線１１の端末部において絶縁被覆１７の外側に折り返したシールド層１６に接続されるシールド接続部としても機能している。
【００４６】
図１８に示すように、端子２０を収容したハウジング３０にシェル本体４１が装着された状態において、ハウジング本体３１はハウジング包囲部４２により包囲されるとともに、ハウジング延出部３５の端子載置部３６および端子載置部３６に配された端子２０の電線接続部２３は、上方および下方に向けて露出されている。また、電線載置部３７は、左側仕切り壁４７Ｌおよび右側仕切り壁４７Ｒの間に挟まれている（図２２参照）とともに、一部が、上方および下方に向けて露出されている。換言すると、シェル本体４１のうちハウジング包囲部４２の後方側は、上下方向に開放されている。このシェル本体４１の上方側の開放された部分を第１開放部５８、下方側の開放された部分を第２開放部５９とよぶこととする。
【００４７】
これら第１開放部５８および第２開放部５９は、第１カバー６０Ａおよび第２カバー６０Ｂにより覆われるようになっている（図１１参照）。本実施形態において、第１カバー６０Ａおよび第２カバー６０Ｂは、同形同大とされている。以下、第１カバー６０Ａおよび第２カバー６０Ｂを区別しない場合には、カバー６０として説明する。
【００４８】
（カバー６０）
カバー６０は、図１１および図１６に示すように、平面視略六角形の板状の底壁６１を有する。底壁６１は、シェル本体４１の第１開放部５８および第２開放部５９を上方および下方から覆う大きさとされている。底壁６１のうち、カバー６０がシェル本体４１に取り付けられた状態における後方の側縁部の両端部寄りには、前方に向けて切り欠かれた一対の切欠部６２が設けられている。
【００４９】
底壁６１のうち、一対のシールド延出部４４と重なる一対の側縁部と、バレル片側連結部５６Ａおよび押さえ片側連結部５７Ａと重なる一対の側縁部には、図１７中下方に向けて延びる側壁６３が立設されている。これら側壁６３のうち、上述したシールド延出部４４の３つの係止孔５１，５２，５３に対応する位置には、これらの係止孔５１，５２，５３と係止する係止突部６４，６５，６６が内側に向けて打ち出し形成されている。
【００５０】
次に、本実施形態のシールドコネクタ１０の組立方法について説明する。シールドコネクタ１０を組み立てる際には、まず、端子２０の端子接続部２１をハウジング本体３１のキャビティ３２内に後方側から挿入する。端子接続部２１がキャビティ３２内の前止まり壁３９に突き当たるとともに抜け規制片（図示せず）に抜け止めされた正規位置に配されると、電線接続部２３は、ハウジング延出部３５の端子載置部３６に配される（図１０参照）。
【００５１】
次に、端子２０が保持されたハウジング３０の後方側からシェル本体４１のハウジング包囲部４２を近づけ、ハウジング本体３１に外嵌させる。この時、ハウジング包囲部４２の係止片４３はハウジング３０の左右の側面に押されて開くように弾性変形し、係止部３４に到達すると弾性復帰して係止部３４に係止する。これにより、ハウジング包囲部４２とハウジング本体３１とが正規位置にロックされる。この状態において、ハウジング包囲部４２の前端縁はハウジング本体３１のフランジ部３３の背面に当接している（図１８および図２３参照）。
【００５２】
また、この時ハウジング延出部３５の電線載置部３７は、シェル本体４１の左側仕切り壁４７Ｌおよび右側仕切り壁４７Ｒの間に挟まれるように配されている（図２２参照）。
【００５３】
この状態において、ハウジング本体３１はハウジング包囲部４２により包囲されるとともに、電線接続部２３および端子載置部３６は、上方および下方に向けて第１開放部５８および第２開放部５９により露出している。また、電線載置部３７は、左側仕切り壁４７Ｌおよび右側仕切り壁４７Ｒの間に挟まれているとともに、一部が、上方および下方に向けて第１開放部５８および第２開放部５９により露出している。また、傾斜壁４９Ｌ，４９Ｒの先端は起立壁３８付近まで延びている（図１９参照）。
【００５４】
次に、シールド電線１１の先端側を加締め部５５側から近づけ、一対のバレル片５６および押さえ片５７の間に挿入して、絶縁被覆１７を剥いで露出された１０本の電線１２、１３，１４，１５のうち第１電線列１８Ａに含まれる５本（電線１２，１４，１５）のそれぞれを、上段の電線接続部２３の上面に載置する（図２４参照）。この時、電線１２，１４，１５の絶縁被覆は露出された電線載置部３７または左側仕切り壁４７Ｌ上に載置される。また、シールド電線１１のシールド層１６の一部は、一対のバレル片５６の間に配される。そして、各電線１２，１４，１５と電線接続部２３とを半田付けにより接続する。
【００５５】
この時、第１電線列１８Ａと第２電線列１８Ｂとの間には、ハウジング延出部３５が配されているから、第１電線列１８Ａに含まれる電線１２，１４，１５を半田付けするにあたり、第２電線列１８Ｂに含まれる電線１２，１３と半田とが接触するのを防止することができる。また、端子載置部３６には溝壁３６Ｂが設けられており、隣り合う電線１２，１４，１５の間は溝壁３６Ｂにより仕切られているから、ＵＳＢ３．０とグランド、電源の各電線１２，１４，１５が短絡することも抑制される。
【００５６】
第１電線列１８Ａと端子２０との半田接続が終了したら、次に、全体を上下反転させて、第２電線列１８Ｂの５本の電線１２，１３をそれぞれ所定の端子２０の電線接続部２３上面に載置する。そして同様に、電線１２，１３と電線接続部２３とを半田付けにより接続する。
【００５７】
端子２０と電線１２〜１５との半田接続が終了したら、次に、一対のバレル片５６によりシールド電線１１および押さえ片５７を一括に加締める（図２５ないし図２７参照）。この時、シールド電線１１の軸心はシェル本体４１（ハウジング包囲部４２）の軸心と重なるように配されている。また、一対のバレル片５６と押さえ片５７とは、シールド電線１１のシールド層１６とも接触しており、互いに電気的に接続されている。
【００５８】
そして最後に、第１カバー６０Ａおよび第２カバー６０Ｂでシェル本体４１の第１開放部５８および第２開放部５９をそれぞれ覆う。具体的には、各カバー６０の係止突部６４，６５，６６をシェル本体４１の係止孔５１，５２，５３にそれぞれ係止する。これにより、シールドコネクタ１０が完成する（図１および図２参照）。
【００５９】
本実施形態によれば、ハウジング３０を収容するシールドシェル４０を、第１開放部５８および第２開放部５９を有するシェル本体４１と、第１開放部５８を覆う第１カバー６０Ａと、第２開放部５９を覆う第２カバー６０Ｂとから構成し、第１開放部５８および第２開放部５９からハウジング延出部３５を露出させるようにしたから、端子２０と電線１２〜１５との半田付け作業を第１開放部５８および第２開放部５９を通して簡単に行うことができる。従って、端子２０と電線１２〜１５とを接続する前に、予め端子２０をハウジング３０に収容したり、ハウジング３０をシールドシェル４０（シェル本体４１）に収容しておくことができる。
しかも、ハウジング延出部３５により、第１端子列２４Ａおよび第２端子列２４Ｂは完全に仕切られているから、端子２０をハウジング３０に収容した状態で半田付け作業を行っても、第１端子列２４Ａの端子２０（電線接続部２３）と第２端子列２４Ｂの端子２０（電線接続部２３）とが半田付けにより短絡することがない。
【００６０】
また、第１カバー６０Ａおよび第２カバー６０Ｂは、同形同大とされているから、製造コストを抑えることができる。
【００６１】
また本実施形態では、シールドシェル４０に上述したような第１開放部５８および第２開放部５９を設けたことにより、シェル本体４１と一対のバレル片５６とを連結するバレル側連結部５６Ａを、幅寸法が小さい右側第２延出部４６Ｒの後端に設ける構成とされているが、本実施形態のシールドコネクタ１０においては、一対のバレル片５６と対向する位置に押さえ片５７を設け、バレル片５６によりシールド電線１１と押さえ片５７とを一括に加締める構成としたから、シールドシェル４０（シェル本体４１）とシールド層１６の端部との接続、および、シールド電線１１のシールドシェル４０に対する保持を確実に行うことができる。
【００６２】
このように、本実施形態のシールドコネクタ１０によれば、簡易な構成で組み立て作業性に優れるシールドコネクタ１０が得られる。
【００６３】
＜他の実施形態＞
本明細書に開示される技術は上記記述及び図面によって説明した実施形態に限定されるものではなく、例えば次のような実施形態も技術的範囲に含まれる。
【００６４】
（１）上記実施形態では、予め端子２０をハウジング３０に収容し、ハウジング３０をシェル本体４１に収容した後、端子２０と電線１２〜１５とを半田付けする構成としたが、作業手順は上記実施形態に限るものではなく、適宜変更することができる。
【００６５】
（２）上記実施形態では、一対のバレル片５６と押さえ片５７の間にシールド電線１１の先端を挿入して端子２０の電線接続部２３（ハウジング３０のハウジング延出部３５）に配する構成としたが、例えば押さえ片５７はシールド電線１１が所定位置に配されるまでバレル片５６とは離れた位置に配し、シールド電線１１が所定位置に配された後、シールド電線１１の延び方向に沿う方向に配する構成としてもよい。
【００６６】
（３）上記実施形態では、電線１２〜１５と端子２０の電線接続部２３とを半田付けした後に、一対のバレル片５６を加締めるようにしたが、半田付けに先立って加締めるようにしてもよい。
【００６７】
（４）また、半田付け作業の後カバー６０を装着するタイミングも、上記実施形態に限るものではなく、第２開放部５９から露出された端子２０および電線１２，１３を半田付けする前に、第１カバー６０Ａを装着してもよい。
【００６８】
（５）上記実施形態では、第１カバー６０Ａおよび第２カバー６０Ｂを同形同大としたが、異なる形態としてもよい。
【００６９】
（６）押さえ片５７は省略することもできる。
【００７０】
（７）シールド電線１１の種類は上記実施形態に限るものではなく、任意のシールド電線を用いることができる。
【符号の説明】
【００７１】
１０：シールドコネクタ
１１：シールド電線
１２，１３，１４，１５：電線
１６：シールド層
１７：絶縁被覆
２０：端子
２１：端子接続部
２３：電線接続部
２４Ａ：第１端子列
２４Ｂ：第２端子列
３０：ハウジング
３１：ハウジング本体
３５：ハウジング延出部
４０：シールドシェル
４１：シェル本体
５５：加締め部
５６：バレル片
５７：押さえ片
５８：第１開放部
５９：第２開放部
６０Ａ：第１カバー
６０Ｂ：第２カバー
【図１】
0006304059.tif 000002
【図２】
0006304059.tif 000003
【図３】
0006304059.tif 000004
【図４】
0006304059.tif 000005
【図５】
0006304059.tif 000006
【図６】
0006304059.tif 000007
【図７】
0006304059.tif 000008
【図８】
0006304059.tif 000009
【図９】
0006304059.tif 000010
【図１０】
0006304059.tif 000011
【図１１】
0006304059.tif 000012
【図１２】
0006304059.tif 000013
【図１３】
0006304059.tif 000014
【図１４】
0006304059.tif 000015
【図１５】
0006304059.tif 000016
【図１６】
0006304059.tif 000017
【図１７】
0006304059.tif 000018
【図１８】
0006304059.tif 000019
【図１９】
0006304059.tif 000020
【図２０】
0006304059.tif 000021
【図２１】
0006304059.tif 000022
【図２２】
0006304059.tif 000023
【図２３】
0006304059.tif 000024
【図２４】
0006304059.tif 000025
【図２５】
0006304059.tif 000026
【図２６】
0006304059.tif 000027
【図２７】
0006304059.tif 000028